(57)【特許請求の範囲】
【請求項１】
空気通路に配置された送風機と、
複数のフィンと前記複数のフィンを貫通する伝熱管とを備え、前記送風機の下流に設置された熱交換器と、
前記熱交換器の下流に設置され、前記伝熱管の風流れ下流領域に開口部を有し、風向を変更する風向変更板と、を備え、
前記開口部は、前記風向変更板の風流れ上流から下流に向かって開口割合が次第に減少する、
室内機。
【請求項２】
前記開口部は、前記風向変更板の風流れ上流から下流に向かって次第に幅が減少するスリットを備える、請求項１に記載の室内機。
【請求項３】
前記開口部は、前記風向変更板の風流れ上流から下流に向かって次第に直径が減少する複数の貫通孔を備える、請求項１に記載の室内機。
【請求項４】
前記開口部は、前記風向変更板の風流れ上流から下流に向かって次第に分布数が減少する複数の貫通孔を備える、請求項１または３に記載の室内機。
【請求項５】
前記開口部は、前記風向変更板の全域に配置され、前記風向変更板の風流れ上流から下流に向かって次第に開口密度が減少する複数の貫通孔を備える、請求項１に記載の室内機。
【請求項６】
空気通路に配置された送風機と、
複数のフィンと前記複数のフィンを貫通する伝熱管とを備え、前記送風機の下流に設置された熱交換器と、
前記熱交換器の下流に設置され、前記伝熱管の風流れ下流領域に開口部を有し、風向を変更する風向変更板と、を備え、
前記開口部は、前記風向変更板の風流れ上流から下流に延在するスリットを備え、
前記スリットは、風流れ上流側が開放された切り欠き形状を有する、
室内機。
【請求項７】
前記送風機は、プロペラファンを備える、請求項１から６のいずれか１項に記載の室内機。
【請求項８】
請求項１から７のいずれか１項に記載の室内機を備える空気調和機。
【発明の詳細な説明】
【技術分野】
【０００１】
本発明は、室内機および空気調和機に関する。
【背景技術】
【０００２】
空気調和機は、室内機から流れ出る風の向きを変更するための風向変更板を備える。例えば、特許文献１に、風流れ上流端部領域と下流端部領域とを除く中間領域に、風流れ方向に細長く形成した複数のスリットを有する左右風向変更板が提案されている。
【先行技術文献】
【特許文献】
【０００３】
【特許文献１】特開２００８−８０８３９号公報
【発明の概要】
【発明が解決しようとする課題】
【０００４】
左右風向変更板がフィンチューブ式の熱交換器の下流近傍に配置される場合がある。この場合、空気の温度分布及び絶対湿度分布が均一化されないまま左右風向変更板に到達し、左右風向変更板に結露が生じてしまうという問題がある。【０００５】
本発明は上記のような問題を解決するためになされたものであり、結露しにくい風向変更板を備える室内機および空気調和機を提供することを目的とする。
【課題を解決するための手段】
【０００６】
上記の目的を達成するため、本発明に係る室内機は、
空気通路に配置された送風機と、
複数のフィンと前記複数のフィンを貫通する伝熱管とを備え、前記送風機の下流に設置された熱交換器と、
前記熱交換器の下流に設置され、前記伝熱管の風流れ下流領域に開口部を有し、風向を変更する風向変更板と、を備え、
前記開口部は、前記風向変更板の風流れ上流から下流に向かって開口割合が次第に減少する。
【発明の効果】
【０００７】
本発明によれば、風向変更板は、伝熱管の風流れ下流領域に開口部を有する。このため、風向変更板で結露が生じにくい。
【図面の簡単な説明】
【０００８】
【図１】本発明の実施の形態１に係る室内機の側面から見た断面図
【図２Ａ】実施の形態１に係る左右風向変更板の斜視図
【図２Ｂ】正面手前斜め上から見た熱交換器と左右風向変更板の配置を示す図
【図３Ａ】実施の形態１に係る左右風向変更板の側面図
【図３Ｂ】単位面積当たりのスリットの開口割合の変化を説明する図
【図４】冷房時の左右風向変更板の周囲を流れる空気の温度分布を示す数値解析のコンター図（等値線図）
【図５】図４に示す空気温度分布条件の場合に、左右風向変更板表面の結露速度分布を示す数値解析のコンター図
【図６】本発明の実施の形態２に係る左右風向変更板の側面図
【図７】本発明の実施の形態３に係る左右風向変更板の側面図
【図８】本発明の実施の形態４に係る左右風向変更板の側面図
【図９】本発明の実施の形態５に係る左右風向変更板の側面図
【図１０Ａ】左右風向変更板表面の開口部の断面形状の一例を示す図
【図１０Ｂ】左右風向変更板表面の開口部の断面形状の一例を示す図
【図１０Ｃ】左右風向変更板表面の開口部の断面形状の一例を示す図
【図１０Ｄ】左右風向変更板表面の開口部の断面形状の一例を示す図
【図１１】実施の形態１に係る空気調和機の図
【発明を実施するための形態】
【０００９】
（実施の形態１）
本発明の実施の形態１に係る室内機１００を、図面を参照して説明する。なお、各図は模式的に描いたものであって、各部材の形状や大きさは図示する形態に限定されるものではない。また、各図において同じ部分または相当する部分には同じ符号を付す。また、本発明は結露の抑制に関するものであるため、特記しない場合は冷房運転時を想定して説明する。
【００１０】
実施の形態１に係る室内機１００は、図１１に示すように、冷媒管１０１を介して室外機１０２に接続され、全体として空気調和機１１０を構成している。
【００１１】
図１に示すように、室内機１００の筐体１の上面に空気を吸い込む吸込口２が、下面及び前面下部に空気を吹き出す吹出口３がそれぞれ設けられている。なお、図１は室内機１００を側面から見た断面図であり、図の左方向が空気を送り出す室内側で「前（方）」ともいい、図の右方向が室内機１００を取り付ける壁側で「後（方）」ともいう。また図の上方向を「上（方）」、下方向を「下（方）」ともいう。
【００１２】
吸込口２と吹出口３とを結ぶ空気通路には、室内の空気を吸込口２から吸い込み、熱交換器側へ送り出す押し込み式のプロペラファン４と、プロペラファン４の風流れ方向下流かつ吹出口３の風流れ方向上流に位置する熱交換器５０と、熱交換器５０の下方に位置し、熱交換器５０での結露により生じる水を受容及び排出するドレンパン６と、が設けられている。なお本書で「風流れ」とは、プロペラファン４によって引き起こされた空気の流れを意味する。プロペラファン４は送風機の一例である。
【００１３】
熱交換器５０は、プロペラファン４によって送風される空気を加熱、又は冷却する。具体的には、熱交換器５０は、前方に傾斜させた前方傾斜部５０ａと、前方傾斜部５０ａの後方に対向して位置し、後方に傾斜させた後方傾斜部５０ｂと、後方傾斜部５０ｂの後方に対向して位置し、前方に傾斜させた前方傾斜部５０ｃと、前方傾斜部５０ｃの後方に対向して位置し、後方に傾斜させた後方傾斜部５０ｄとにより構成されており、Ｗ字状の配置となっている。
【００１４】
前方傾斜部５０ａと、後方傾斜部５０ｂと、前方傾斜部５０ｃと、後方傾斜部５０ｄとは、それぞれが複数枚並べられた平板状のフィン５１と、フィン５１を貫通する複数の伝熱管５２とで構成された、フィンチューブ式の熱交換器ユニットである。フィンチューブ式の熱交換器は、伝熱管５２の内部に熱媒体を流し、冷房時は熱媒体の冷温を表面積の大きい平板状のフィン５１に伝熱させて熱交換板として用いて、空気の冷却を効率的に行うものである。フィン５１は、空気の流れを妨害しないように空気が流れる方向に平行に設けられ、伝熱管５２は空気が流通する方向に直交する方向に設けられている。
【００１５】
筐体１の吹出口３には、前方に位置する前方側上下風向変更板７と、後方に位置する後方側上下風向変更板８とが設けられており、それぞれが空気の風向を上下方向に変更することができる。
【００１６】
前方側上下風向変更板７の下方には、下側左右風向変更板９が設けられている。下側左右風向変更板９は、後方傾斜部５０ｂ、前方傾斜部５０ｃ及び後方傾斜部５０ｄで熱交換された空気の風向を左右方向に変更することができる。また前方傾斜部５０ａの下流には、複数の上側左右風向変更板２０が設けられている。上側左右風向変更板２０は、前方傾斜部５０ａで熱交換された空気の風向を左右方向に変更することができる。
【００１７】
図２Ａに示すように、上側左右風向変更板２０は、その円柱状の取付部１５が、支持部１６によって支持されている。支持部１６は、ドレンパン６に固定された固定部１０に取り付けられている。ドレンパン６は、室内機１００の筐体１に取り付けられている。上側左右風向変更板２０は支持部１６に対し、取付部１５の円柱軸を中心軸として右回り、又は左回りに回転可能に支持されている。
【００１８】
複数の上側左右風向変更板２０は、それぞれが固定具１４により１つの連結具１２に接続され、すべての上側左右風向変更板２０は、連結具１２と連動して同時に向きを変えるようになっている。具体的には、連結具１２を、図２Ａの右方向に動かすと、すべての上側左右風向変更板２０はその取付部１５の円柱軸を中心軸として向かって左回り（反時計回り）に回転する。これにより、前方傾斜部５０ａで熱交換された空気の流れは右向きに変更される。逆に、連結具１２を図２Ａの左方向に動かすと、すべての上側左右風向変更板２０はその取付部１５の円柱の軸を中心軸として向かって右回り（時計回り）に回転する。これにより、空気の流れは左向きに変更される。こうして空気の左右の流れ方向を調節することができる。
【００１９】
図２Ｂに示すように、上側左右風向変更板２０は、フィン５１の向きと同じ向きに配向され、複数のフィン５１の間を通過した空気の下流の位置に配置されている。複数のフィン５１の間隔は短く、例えば、１ｍｍ程度である。そのため、複数のフィン５１の間を通過した空気は、全体にフィン５１の冷却効果を受け、温度の偏りは少ない。すなわち、上側左右風向変更板２０の近傍を通過する空気流４６と、上側左右風向変更板２０の近傍以外を通過する空気流４４との温度差は小さい。したがって、上側左右風向変更板２０の図２Ｂにおける横方向の配置位置は、複数のフィン５１で形成される全体の領域内を通過した空気の下流の位置であれば、任意の位置に配置してよい。
【００２０】
室内機１００は、操作リモコン等により運転開始、運転停止を始め、温度、風量、風向の設定などが行われるが、その制御システムは従来技術と同じである。また、熱交換用の室外機１０２についても従来技術と同じである。
【００２１】
図３Ａに示すように、それぞれの上側左右風向変更板２０は、伝熱管５２の風流れ下流の、周囲に比べて相対的に空気温度が低い領域に、風流れ上流から下流にかけて次第に幅が減少する２つの開口２１ａ、２１ｂを有する。以下、開口２１ａ、２１ｂを、その形状にあわせてスリット２１ａ、２１ｂと呼ぶ。なお、図３Ａでは右上が風流れ上流であり、左下が風流れ下流である。
【００２２】
「伝熱管５２の風流れ下流」とは、伝熱管５２の周囲を流れた空気が通過する下流側の領域である。伝熱管５２が複数存在するため、風流れ下流も複数存在する。「スリット」とは、細長い形状の開口を意味する。開口部とは、上側左右風向変更板２０の一方の面から他方の面まで貫通した孔、切り欠き等を意味する。開口の幅を次第に減少させるということは、上側左右風向変更板２０のある単位面積当たりの開口２１ａ、２１ｂの開口面積の割合を次第に減少させるということである。
【００２３】
例えば、図３Ｂに示すように、スリット２１ｂの開口に重ねた点線で示す４つの仮想矩形２８ａ、２８ｂ、２８ｃ、２８ｄを考える。これらは、スリット２１ｂの風流れ上流側から下流側に順に隣接して配置した同じ面積の矩形である。配置の仕方は、まず、仮想矩形２８ａに含まれるスリット２１ｂの開口の割合が最も大きくなるように仮想矩形２８ａを配置する。次に仮想矩形２８ｂを、仮想矩形２８ａに隣接させて、仮想矩形２８ｂに含まれるスリット２１ｂの開口の割合が最も大きくなるように配置する。同様にして仮想矩形２８ｃ、仮想矩形２８ｄを順に配置する。こうすると、仮想矩形２８ａの面積に占めるスリット２１ｂの開口の面積割合が最も大きく、次に仮想矩形２８ｂに占めるスリット２１ｂの開口割合が大きく、次に仮想矩形２８ｃに占めるスリット２１ｂの開口割合が大きく、最も開口割合が小さいのが最も下流側にある仮想矩形２８ｄに占めるスリット２１ｂの開口となる。この関係はスリット２１ａについても同様である。
【００２４】
このようなスリット２１ａ、２１ｂの作用を説明するために、図４、図５を用いて、スリット２１ａ、２１ｂが無い従来技術の左右風向変更板４０を例に、結露が生じるメカニズムを説明する。
【００２５】
図４において、斜線を付した中間温度領域４１は、伝熱管５２によって冷却された空気が流れる低温度領域４３と、室温に近い空気が流れる高温度領域４２との中間の温度の空気が流れる領域である。破線は、低温度領域４３と中間温度領域４１の境界等温線を示す。点線は、高温度領域４２と中間温度領域４１の境界等温線を示す。したがって破線は、点線に比べて低温度の等温線である。このように空気の流れが湾曲するのは、伝熱管５２の下方にドレンパン６が配置されており、ここで空気の流れがせき止められるためである。
【００２６】
図４に示すように、複数の伝熱管５２の風流れ下流にある中間温度領域４１の空気温度は、伝熱管５２同士の中間を通過した空気が流れる高温度領域４２の空気温度と比べて、相対的に低くなっている。この中間温度領域４１の空気が左右風向変更板４０の表面に触れることで、左右風向変更板４０の表面が冷却される。左右風向変更板４０内では、熱伝導が生じて低温部が高温度領域４２の空気が通過する左右風向変更板４０の領域まで到達し、その領域の表面温度が低下する。高温度領域４２の空気が通過する領域の表面温度が高温度領域４２の空気の露点温度以下になると、結露が発生する。
【００２７】
図５において、斜線部は結露速度がゼロ以上、すなわち結露が生じる結露領域４７である。図５に示すように、伝熱管５２の風流れ後部を発生点とする流線４５が通過する付近の左右風向変更板４０の表面では結露が生じておらず、その周囲の領域で結露が生じている。
【００２８】
図４及び図５からわかるように、伝熱管５２によって冷却された、周囲に比べて相対的に低温の空気が左右風向変更板４０に触れ、左右風向変更板４０が部分的に冷却されること、及び左右風向変更板４０内の熱伝導により冷却された領域が広がり、表面に接触する空気の露点以下となる部分が生じてしまうこと、が左右風向変更板４０での結露の要因である。以上の結露メカニズムから、左右風向変更板４０での結露を抑制するためには、左右風向変更板４０が部分的に冷却されないようにする、即ち左右風向変更板４０が、伝熱管５２によって冷却された空気にできるだけ接触しないようにすればよいことがわかる。
【００２９】
そのため、本発明においては図３Ａに示すように、伝熱管５２の風流れ下流に位置する、上側左右風向変更板２０の相対的に低温の空気が流れる領域にスリット２１ａ、２１ｂを設けた。これにより、相対的に低温の空気が上側左右風向変更板２０に触れる面積を小さくすることができる。さらに、熱が伝達される領域が少なくなり、熱伝導を抑制する効果も期待できる。
【００３０】
また、図５に示すように、熱交換器５０で冷却された空気は、風流れ上流から下流にかけて次第に周囲の相対的に暖かい空気と混合され、空気温度分布が平準化されて結露領域が下流にいくほど狭くなる。そこで、スリット２１ａ、２１ｂのように風流れ上流から下流にかけて次第にスリット幅を減少させることで、結露防止効果を得ながら、風向変更能力の減少を小さく抑えることができる。
【００３１】
このような構成によれば、上側左右風向変更板２０に結露が生じるリスクを低減することができ、また結露が生じた場合にも結露量を低減することができる。
【００３２】
以上説明したように、実施の形態１によれば、上側左右風向変更板２０は、伝熱管５２の後部の、周囲に比べて相対的に低温の空気に触れる領域に、風流れ上流から下流にかけて次第にスリット幅を減少させたスリット２１ａ、２１ｂを有する。これにより、上側左右風向変更板２０がフィンチューブ式の熱交換器５０の下流近傍に位置する場合でも結露しにくい室内機１００を提供することができる。
【００３３】
なお、上述のように、スリット２１ａ、２１ｂの形状は、空気温度の分布に適合するように決定されるが、上側左右風向変更板２０の位置によって空気温度の分布形状が異なる場合は、複数の上側左右風向変更板２０で、スリット２１ａ、２１ｂの形状が異なってもよい。また、実施の形態１では２つのスリット２１ａ、２１ｂを有しているが、空気温度の分布状態に合わせて、スリットの数は任意に決定可能である。
【００３４】
また、実施の形態１における下側左右風向変更板９は、後方傾斜部５０ｂ、前方傾斜部５０ｃ及び後方傾斜部５０ｄの伝熱管５２の下流側に配置されているが、伝熱管５２からの距離が長く、相対的に低温の空気と暖かい空気とが混合されるため、局所的な結露が生じにくい。そのため、下側左右風向変更板９にはスリットを設けていないが、伝熱管５２と下側左右風向変更板９の配置関係により空気温度の分布が生じて結露しやすい場合は、下側左右風向変更板９にもスリットを設けることができる。
【００３５】
（実施の形態２）
実施の形態２は、実施の形態１におけるスリット２１ａ、２１ｂに代えて、スリットの上流端が開放された形状を有する切り欠き２２ａ、２２ｂを設置した例である。切り欠き２２ａ、２２ｂも、スリット２１ａ、２１ｂと同様に、開口の一例である。図６は実施の形態２に係る上側左右風向変更板２０ａを側面から見た図である。
【００３６】
図６に示すように、上側左右風向変更板２０ａは、伝熱管５２の風流れ下流の、周囲に比べて相対的に低温の空気が接触する領域に、風流れ上流から下流にかけて次第に切り欠きの幅を減少させた２つの切り欠き２２ａ、２２ｂを有している。「切り欠き」とは、上側左右風向変更板２０ａの端面まで開放した開口部のことである。実施の形態１の上側左右風向変更板２０では、スリット２１ａ、２１ｂは端面までは開放されていない貫通孔であったが、切り欠き２２ａ、２２ｂは上側左右風向変更板２０ａの風流れ上流側の端面まで開放されている。切り欠きの幅を次第に減少させるということは、仮想単位面積当たりの切り欠き２２ａ、２２ｂの開口面積の割合を下流側に向かって次第に減少させるということである。なお、実施の形態１で説明したように、この場合も切り欠きの数は任意であり、２つに限らず、１つ又は３つ以上であってもよい。
【００３７】
このような構成によれば、冷房運転時の上側左右風向変更板２０ａの冷却を低減し、かつ上側左右風向変更板２０ａ内の熱伝導を抑制することが可能となる。これにより、従来技術に比べて結露リスクを低減することができ、また結露した場合でも結露量を低減することができる。
【００３８】
さらに、実施の形態１と同様に、風流れ上流側から下流側に向かって切り欠き２２ａ、２２ｂの幅を次第に減少させることで、結露リスクを低減しつつ、風向変更能力の低下を抑制する効果がある。
【００３９】
また、上側左右風向変更板２０ａの上流端は、空気温度分布が最も平準化されていないため結露が生じ易い箇所であるが、上流端を切り欠くことで、結露リスクをより低減する効果がある。
【００４０】
（実施の形態３）
実施の形態３は、実施の形態１におけるスリット２１ａ、２１ｂに代えて、伝熱管５２の風流れ下流領域のそれぞれに直径の異なる複数の貫通孔２３を設置した例である。貫通孔２３も開口の一例である。図７は実施の形態３に係る上側左右風向変更板２０ｂを側面から見た図である。
【００４１】
図７に示すように、上側左右風向変更板２０ｂは、伝熱管５２の風流れ下流の、周囲に比べて相対的に低温の空気が流れる領域に、風流れ上流から下流に向かって次第に直径を減少させた複数の円形の貫通孔２３を有している。円形の貫通孔２３の直径を次第に減少させるということは、仮想単位面積当たりの貫通孔２３の開口割合を下流側に向かって次第に減少させるということである。なお、円形の貫通孔２３は２列に配置されているが、この場合も貫通孔の配置される列の数は任意であり、２列に限らず、１列又は３列以上の列に配置してもよい。
【００４２】
このような構成によれば、冷房運転時の上側左右風向変更板２０ｂの冷却を低減し、かつ上側左右風向変更板２０ｂ内の熱伝導を抑制することが可能となる。これにより、従来技術に比べて結露リスクを低減することができ、また結露した場合でも結露量を低減することができる。
【００４３】
さらに、実施の形態１と同様に、風流れ上流から下流にかけて貫通孔２３の開口割合を次第に減少させることで、結露リスクを低減しつつ、風向変更能力の低下を抑制する効果がある。
【００４４】
（実施の形態４）
実施の形態４は、実施の形態１におけるスリット２１ａ、２１ｂに代えて、伝熱管５２の風流れ下流領域のそれぞれに同じ直径の円形の貫通孔２４を複数並べて配置した例である。図８は実施の形態４に係る上側左右風向変更板２０ｃを側面から見た図である。
【００４５】
図８に示すように、上側左右風向変更板２０ｃは、伝熱管５２の風流れ下流の、周囲に比べて相対的に低温の空気が流れる領域に、風流れ上流から下流に向かって次第に分布数を減少させた複数の円形の貫通孔２４を有している。複数配置された貫通孔２４の直径は同じであるが、その数（分布割合）が下流にいくにつれて少なくなっている。つまり、仮想単位面積当たりの貫通孔２４の開口割合が下流側に向かって次第に減少している。なお、円形の貫通孔２４は２列に配置されているが、この場合も貫通孔の配置される列の数は任意であり、２列に限らず、１列又は３列以上の列に配置してもよい。
【００４６】
このような構成によれば、冷房運転時の上側左右風向変更板２０ｃの冷却を低減し、かつ上側左右風向変更板２０ｃ内の熱伝導を抑制することが可能となる。これにより、従来技術に比べて結露リスクを低減することができ、また結露した場合でも結露量を低減することができる。
【００４７】
さらに、風流れ上流から下流にかけて貫通孔２４の数の分布割合を次第に減少させることで、実施の形態１と同様、結露リスクを低減しつつ、風向変更能力の低下を抑制する効果がある。
【００４８】
（実施の形態５）
実施の形態５は、実施の形態１におけるスリット２１ａ、２１ｂに代えて、貫通孔２５を全面に多数配置した例である。図９は実施の形態５に係る上側左右風向変更板２０ｄを側面から見た図である。
【００４９】
図９に示すように、上側左右風向変更板２０ｄは、全域に偏りなく四角形の貫通孔２５を有しており、メッシュ状となっている。なお、貫通孔２５の形状は四角形に限定されず、任意の形状とすることができる。またその個数も任意に選択することができる。なお、貫通孔２５の密度は図９に示すように全体に均一に配置することもできるが、貫通孔２５の開口密度を上流側から下流側に向かって次第に減少させることがより好ましい。空気の流れが不規則になっても、上流側の空気が下流側の空気よりも冷却されているため、上流側の開口密度をより大きくすることが結露防止に効果的であるからである。
【００５０】
このような構成によれば、熱交換器５０を通過後の空気温度分布及び絶対湿度分布が乱れた場合でも、上側左右風向変更板２０ｄの結露防止効果を得ることができる。即ち、冷却された空気の流れが不規則に変化した場合であっても、上側左右風向変更板２０ｄ上において結露する可能性を低減することができる。なお、貫通孔２５の開口密度を上側左右風向変更板２０ｄの全体にわたって均一にすることにより、熱交換器５０を通過後の空気温度分布及び絶対湿度分布がいかなるものであっても、上側左右風向変更板２０ｄの結露防止効果を得ることができる。
【００５１】
（変形例１）
実施の形態においては、左右風向変更板に開口を形成する例を示したが、風向を変更する方向は限定されない。本発明の風向変更板は、左右方向に風の向きを変更するものでも、前後方向に風の向きを変更するものでもよい。フィンチューブ式の熱交換器の下流に配置される風向変更板ならば、この発明を適用できる。
【００５２】
（変形例２）
開口部の端面形状は特に限定されないが、できるだけ開口部を通過する空気の流れを乱さない形状が好ましい。開口部は、図１０Ａに示すような、上側左右風向変更板２０の表面に直角の端面を有してもよいが、図１０Ｂ〜図１０Ｄに示すように湾曲又は傾斜した端面を有することが、空気の流通を乱さないという観点から好ましい。図１０Ｂは、滑らかに湾曲させた端面形状、図１０Ｃは傾斜させた端面形状、図１０Ｄは両面側から斜面を形成した端面形状の例である。なお、上流側と下流側とで端面の形状を変えてもよい。
【００５３】
（変形例３）
実施の形態１〜５では、送風機はプロペラファンであるとした。送風機の種類はこれに限定されない。例えば、クロスフローファンを用いてもよい。また、プロペラファンでも、軸流プロペラファンでもよいし、斜流プロペラファンでもよい。さらに、遠心ファンを用いることも可能である。
【００５４】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００５５】
本発明は、空気調和機の室内機に好適に採用され得る。
【符号の説明】
【００５６】
１  筐体、２  吸込口、３  吹出口、４  プロペラファン、６  ドレンパン、７  前方側上下風向変更板、８  後方側上下風向変更板、９  下側左右風向変更板、１０  固定部、１２  連結具、１４  固定具、１５  取付部、１６  支持部、２０，２０ａ，２０ｂ，２０ｃ，２０ｄ  上側左右風向変更板、２１ａ，２１ｂ  スリット、２２ａ，２２ｂ  切り欠き、２３，２４，２５  貫通孔、２８ａ，２８ｂ，２８ｃ，２８ｄ  仮想矩形、３１  集塵フィルター、３２  フィルター固定具、４０  左右風向変更板、４１  中間温度領域、４２  高温度領域、４３  低温度領域、４４  空気流、４５  流線、４６  空気流、４７  結露領域、５０  熱交換器、５０ａ  前方傾斜部、５０ｂ  後方傾斜部、５０ｃ  前方傾斜部、５０ｄ  後方傾斜部、５１  フィン、５２  伝熱管、１００  室内機  １０１  冷媒管、１０２  室外機、１１０  空気調和機
【図１】
0006727415.tif 000002
【図２Ａ】
0006727415.tif 000003
【図２Ｂ】
0006727415.tif 000004
【図３Ａ】
0006727415.tif 000005
【図３Ｂ】
0006727415.tif 000006
【図４】
0006727415.tif 000007
【図５】
0006727415.tif 000008
【図６】
0006727415.tif 000009
【図７】
0006727415.tif 000010
【図８】
0006727415.tif 000011
【図９】
0006727415.tif 000012
【図１０Ａ】
0006727415.tif 000013
【図１０Ｂ】
0006727415.tif 000014
【図１０Ｃ】
0006727415.tif 000015
【図１０Ｄ】
0006727415.tif 000016
【図１１】
0006727415.tif 000017